(57)【要約】      （修正有）【課題】他人のコーディネートを用いて、実用性の高いコーディネートを提案できるコーディネート提案装置等を提供する。【解決手段】コーディネート提案装置は、ユーザが有するアイテムのアイテムデータ、およびアイテムを組み合わせたコーディネートを示すコーディネートデータを記憶部に記憶する。そして、ユーザがコーディネート対象となるアイテムを選択すると（Ｓ４０１）、コーディネート提案装置は、選択されたアイテムと同一と判定されるアイテムを含み（Ｓ４０２）、かつ、その他のアイテムが、ユーザのアイテムと少なくとも類似であると判定されるコーディネートデータを、別のユーザのコーディネートデータから抽出し（Ｓ４０３）、そのコーディネートを示すコーディネート表示画面をユーザ端末に送信して表示させる（Ｓ４０４）。【選択図】図１０
2013250743.tif 000002
【特許請求の範囲】
【請求項１】
各ユーザが有するファッションアイテムを組み合わせた、各ユーザのコーディネートを示すコーディネートデータを記憶する記憶手段と、
ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出するコーディネート抽出手段と、
を具備することを特徴とするコーディネート提案装置。
【請求項２】
前記コーディネート対象のファッションアイテムは、前記ユーザが有するファッションアイテムのなかから選択されたものであることを特徴とする請求項１記載のコーディネート提案装置。
【請求項３】
前記コーディネート抽出手段は、
前記コーディネート対象のファッションアイテムと前記第１の特徴が一致すると判定されるファッションアイテム以外の他のファッションアイテムのいずれもが、前記ユーザが有するファッションアイテムと前記第２の特徴が一致すると判定されるコーディネートデータを抽出することを特徴とする請求項１または請求項２記載のコーディネート提案装置。
【請求項４】
前記コーディネート抽出手段は、
前記コーディネート対象のファッションアイテムと前記第１の特徴が一致すると判定されるファッションアイテムを含むコーディネートデータを、別のユーザのコーディネートデータから抽出し、
その中から、前記ユーザが有するファッションアイテムと、前記第１の特徴のうちの一部である前記第２の特徴が一致すると判定されるファッションアイテムを含むコーディネートデータを抽出することを特徴とする請求項１から請求項３のいずれかに記載のコーディネート提案装置。
【請求項５】
ユーザのユーザ端末とコーディネート提案装置とがネットワークを介して接続されるコーディネート提案システムであって、
前記コーディネート提案装置は、
各ユーザが有するファッションアイテムを組み合わせた、各ユーザのコーディネートを示すコーディネートデータを記憶する記憶手段と、
ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出するコーディネート抽出手段と、
前記コーディネート抽出手段で抽出したコーディネートデータのコーディネートを示すコーディネート表示画面を前記ユーザ端末に送信するコーディネート表示画面送信手段と、
を具備し、
前記ユーザ端末は、
コーディネートデータを前記コーディネート提案装置に登録する登録手段と、
前記コーディネート対象のファッションアイテムを選択する選択手段と、
前記コーディネート提案装置から前記コーディネート表示画面を受信して表示する表示手段と、
を具備することを特徴とするコーディネート提案システム。
【請求項６】
コーディネート提案装置が、
各ユーザが有するファッションアイテムを組み合わせた、各ユーザのコーディネートを示すコーディネートデータを記憶する記憶手段を有し、
ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出することを特徴とするコーディネート提案方法。
【請求項７】
情報処理装置を、
各ユーザが有するファッションアイテムを組み合わせた、各ユーザのコーディネートを示すコーディネートデータを記憶する記憶手段と、
ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出するコーディネート抽出手段と、
して機能させるためのプログラム。
【請求項８】
情報処理装置を、
各ユーザが有するファッションアイテムを組み合わせた、各ユーザのコーディネートを示すコーディネートデータを記憶する記憶手段と、
ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出するコーディネート抽出手段と、
して機能させるためのプログラムを記録した記録媒体。
【発明の詳細な説明】
【技術分野】
【０００１】
本発明は、ユーザにコーディネートを提案するためのコーディネート提案装置等に関するものである。
【背景技術】
【０００２】
新しく購入した、あるいは既に所持しているファッションアイテム（服飾品）を様々なコーディネートで使用したいが、コーディネートの仕方がわからないといったことは多々ある。例えば、フォーマルなイベントに合わせてワンピースを購入したが、その後、そのワンピースを日常生活で着用したいと思った場合、どのようにコーディネートすればよいのかわからないため、ほとんど着用する機会もないということもある。
【０００３】
従来、このようなコーディネートを支援する様々なシステムが提案されている。例えば、特許文献１には、予め登録したファッションアイテムを用いたコーディネートをシミュレーションするシステムが示されている。また、特許文献２、３には、ユーザが有するファッションアイテムや服飾業者等のファッションアイテムを用いたコーディネートを生成し、ユーザ端末で表示させるシステムが示されている。
【先行技術文献】
【特許文献】
【０００４】
【特許文献１】特開２００９−９９１４３号公報
【特許文献２】特開２００４−１７１３９３号公報
【特許文献３】特開２００５−１３３２２８号公報
【発明の概要】
【発明が解決しようとする課題】
【０００５】
ところで、コーディネートを考える際、他人のコーディネートが参考になることは多い。例えば他人のコーディネートを見て自身のコーディネートに取り入れてみたいといったことは多くある。他人が実際に行っているコーディネートは実用性も高く、日常のコーディネートに取り入れやすい。しかしながら、前記のシステムは、各種の条件入力に応じてユーザに提案するコーディネートを生成するものが主であり、上記のように他人のコーディネートを参照できるものではなかった。
【０００６】
また、前述のように、ファッションアイテムを様々なコーディネートで使用するといった点からは、ユーザの有するファッションアイテムで実現できるコーディネートが参考できれば実用性の面で望ましい。コーディネートを行う際に別のファッションアイテムを購入したりする必要がないためである。
【０００７】
本発明は、このような問題に鑑みてなされたもので、その目的は、他人のコーディネートを用いて、実用性の高いコーディネートを提案できるコーディネート提案装置等を提供することである。
【課題を解決するための手段】
【０００８】
前述した目的を達成するための第１の発明は、各ユーザが有するファッションアイテムを組み合わせた、各ユーザのコーディネートを示すコーディネートデータを記憶する記憶手段と、ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出するコーディネート抽出手段と、を具備することを特徴とするコーディネート提案装置である。
【０００９】
本発明のコーディネート提案装置では、ユーザの有するファッションアイテムを使用したコーディネートデータを、複数のユーザから予め収集、記憶しておく。そして、ユーザがコーディネート対象のファッションアイテムを選択すると、これと特徴が一致するファッションアイテムを含み、かつユーザが有するファッションアイテムと特徴が一致するファッションアイテムを含むコーディネートデータが、別のユーザのコーディネートデータから抽出される。
従って、ユーザは、コーディネート対象のアイテムについて、別のユーザのコーディネートを参照してコーディネートを行えるようになる。このコーディネートは、他人が実際に行っているものであり、かつ、ユーザが有するファッションアイテム等を利用して実現可能なものであるので、実用性も高い。
【００１０】
前記コーディネート対象のファッションアイテムは、前記ユーザが有するファッションアイテムのなかから選択されたものであることが望ましい。
これにより、ユーザが有するファッションアイテムをコーディネート対象とし、これを用いたコーディネートデータを抽出して提案できるようになる。
【００１１】
前記コーディネート抽出手段は、前記コーディネート対象のファッションアイテムと前記第１の特徴が一致すると判定されるファッションアイテム以外の他のファッションアイテムのいずれもが、前記ユーザが有するファッションアイテムと前記第２の特徴が一致すると判定されるコーディネートデータを抽出することが望ましい。
この場合、抽出されるコーディネートデータが、ユーザが有するファッションアイテムを用いて実現できる実現性がより高いものとなるので、より実用的である。
【００１２】
前記コーディネート抽出手段は、前記コーディネート対象のファッションアイテムと前記第１の特徴が一致すると判定されるファッションアイテムを含むコーディネートデータを、別のユーザのコーディネートデータから抽出し、その中から、前記ユーザが有するファッションアイテムと、前記第１の特徴のうちの一部である前記第２の特徴が一致すると判定されるファッションアイテムを含むコーディネートデータを抽出することを特徴とする請求項１から請求項３のいずれかに記載のコーディネート提案装置ことが望ましい。
コーディネート対象のファッションアイテムに関しては、より多くの特徴が一致することを抽出時の条件とすると、これと同じファッションアイテムを含むコーディネートデータが確実に抽出でき、ユーザの意図しないコーディネートデータが抽出されることがなくなる。また、コーディネート対象のファッションアイテムに関してより厳しい条件を用いてまず絞り込みを行い、その後、その他のアイテムに関する条件によりコーディネートデータを抽出すると、好適なコーディネートデータを早く抽出できる。
【００１３】
第２の発明は、ユーザのユーザ端末とコーディネート提案装置とがネットワークを介して接続されるコーディネート提案システムであって、前記コーディネート提案装置は、各ユーザが有するファッションアイテムを組み合わせた、各ユーザのコーディネートを示すコーディネートデータを記憶する記憶手段と、ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出するコーディネート抽出手段と、前記コーディネート抽出手段で抽出したコーディネートデータのコーディネートを示すコーディネート表示画面を前記ユーザ端末に送信するコーディネート表示画面送信手段と、を具備し、前記ユーザ端末は、コーディネートデータを前記コーディネート提案装置に登録する登録手段と、前記コーディネート対象のファッションアイテムを選択する選択手段と、前記コーディネート提案装置から前記コーディネート表示画面を受信して表示する表示手段と、を具備することを特徴とするコーディネート提案システムである。
【００１４】
第３の発明は、コーディネート提案装置が、各ユーザが有するファッションアイテムを組み合わせた、各ユーザのコーディネートを示すコーディネートデータを記憶する記憶手段を有し、ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出することを特徴とするコーディネート提案方法である。
【００１５】
第４の発明は、情報処理装置を、各ユーザが有するファッションアイテムを組み合わせた、各ユーザのコーディネートを示すコーディネートデータを記憶する記憶手段と、ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出するコーディネート抽出手段と、して機能させるためのプログラムである。
【００１６】
第５の発明は、情報処理装置を、各ユーザが有するファッションアイテムを組み合わせた、各ユーザのコーディネートを示すコーディネートデータを記憶する記憶手段と、ファッションアイテムの特徴を示すアイテムデータを参照して、ユーザにより選択されたコーディネート対象のファッションアイテムと一または複数の第１の特徴が一致すると判定されるファッションアイテムを含み、かつ、前記ユーザが有するファッションアイテムと、前記第１の特徴と同じまたは異なる、一または複数の第２の特徴が一致すると判定されるファッションアイテムを含むコーディネートデータを、別のユーザのコーディネートデータから抽出するコーディネート抽出手段と、して機能させるためのプログラムを記録した記録媒体である。
【発明の効果】
【００１７】
本発明により、他人のコーディネートを用いて、実用性の高いコーディネートを提案できるコーディネート提案装置等を提供することができる。
【図面の簡単な説明】
【００１８】
【図１】コーディネート提案システム１の概要を示す図
【図２】コーディネート提案装置３、ショッピングサーバ５、およびユーザ端末７のハードウェア構成の例を示す図
【図３】コーディネート提案装置３の機能構成を示す図
【図４】アイテムデータ３０の一例を示す図
【図５】コーディネートデータ４０の一例を示す図
【図６】会員登録処理の流れを示すフローチャート
【図７】アイテム登録処理の流れを示すフローチャート
【図８】コーディネート登録処理の流れを示すフローチャート
【図９】コーディネート登録処理について説明する図
【図１０】コーディネート提案処理の流れを示すフローチャート
【図１１】コーディネートアイテム選択画面４００の一例を示す図
【図１２】コーディネート提案処理について説明する図
【図１３】ユーザのアイテム１０について示す図
【図１４】コーディネート表示画面５００の一例を示す図
【発明を実施するための形態】
【００１９】
以下、添付図面を参照しながら、本発明の実施形態について詳細に説明する。なお、以下の説明および添付図面において、略同一の構成要素については、同一の符号を付すなどして重複説明を省略する。
【００２０】
（コーディネート提案システム１）
最初に、図１を参照しながら、本発明の実施形態に係るコーディネート提案システム１の概要について説明する。
【００２１】
図１に示すように、コーディネート提案システム１は、コーディネート提案装置３、ショッピングサーバ５、ユーザ端末７がネットワーク９を介して接続されて構成される。
【００２２】
コーディネート提案装置３は、各ユーザが有するファッションアイテム（以下、「アイテム」という場合がある）の特徴を示すアイテムデータと、各ユーザが自身のアイテムを組み合わせて行ったコーディネートを示すコーディネートデータ等を記憶する。また、ユーザに提案するコーディネートデータを、別のユーザのコーディネートデータから抽出し、そのコーディネートを表示するコーディネート表示画面をユーザ端末７に送信する。
【００２３】
ショッピングサーバ５は、ファッションアイテム等の販売を行うＥＣ（Ｅｌｅｃｔｒｏｎｉｃ  Ｃｏｍｅｅｒｃｅ）サイトを提供するサーバである。ユーザは、ユーザ端末７からネットワーク９を介してショッピングサーバ５にアクセスし、ファッションアイテムを購入することができる。
【００２４】
図２（ａ）は、コーディネート提案装置３、ショッピングサーバ５のハードウェア構成の例を示す図である。
図２（ａ）に示すように、コーディネート提案装置３、ショッピングサーバ５は、制御部１１、記憶部１２、入力部１３、表示部１４、通信部１５等が、バス１６を介して接続されて構成された情報処理装置であり、汎用のサーバコンピュータ等で実現できる。
【００２５】
制御部１１は、ＣＰＵ（Central Processing Unit）、ＲＯＭ（Read Only Memory）、ＲＡＭ（Random Access Memory）等で構成される。ＣＰＵは、記憶部１２、ＲＯＭ、記録媒体等に格納されるプログラムをＲＡＭ上のワークメモリ領域に呼び出して実行し、バス１６を介して接続された各装置を駆動制御する。これにより、コンピュータが行う後述する処理を実現する。ＲＯＭは、不揮発性メモリであり、プログラムやデータ等を恒久的に保持している。ＲＡＭは、揮発性メモリであり、記憶部１２、ＲＯＭ、記録媒体等からロードしたプログラム、データ等を一時的に保持するとともに、制御部１１が各種処理を行うために使用するワークエリアを備える。
【００２６】
記憶部１２は、ＨＤＤ（ハードディスクドライブ）やフラッシュメモリ等であり、制御部１１が実行する後述の処理に必要なプログラムやデータ等が格納される。これらの各プログラムコードは、制御部１１のＣＰＵにより必要に応じて読み出されてＲＡＭに移され、後述する各種の手段として実行される。
【００２７】
入力部１３は、データの入力を行い、例えば、タッチパネル、キー等の入力装置を有する。入力部１３を介して操作指示、動作指示、データ入力等を行うことができる。
表示部１４は、液晶パネル等のディスプレイ装置と連携して表示機能を実現するための論理回路等を有する。
通信部１５は、ネットワーク９を介した通信を媒介する通信インタフェースである。ネットワーク９は、有線、無線を問わない。
バス１６は、各装置間の制御信号、データ信号等の授受を媒介する経路である。
【００２８】
図１の説明に戻る。ユーザ端末７は、前記のアイテムデータやコーディネートデータをコーディネート提案装置３に登録する。また、コーディネート提案装置３から前記のコーディネート表示画面を受信して表示する。
【００２９】
図２（ｂ）は、ユーザ端末７のハードウェア構成の例を示す図である。
図に示すように、ユーザ端末７は、例えば、制御部２１、記憶部２２、入力部２３、表示部２４、通信部２５、音声通話部２６等がバス２７を介して接続されて構成された情報処理装置であり、例えば携帯電話機等の携帯端末で実現できる。
【００３０】
制御部２１、記憶部２２、入力部２３、表示部２４、通信部２５、バス２７は、それぞれ、前記した制御部１１、記憶部１２、入力部１３、表示部１４、通信部１５、バス１６と略同様であるので説明を省略する。また、音声通話部２６は、アンテナ、受話部、および送話部等を備え、音声通話機能を実現するものである。
【００３１】
なお、図２（ａ）、図２（ｂ）のハードウェア構成は一例であり、用途、目的に応じて様々な構成を採ることが可能である。例えば、ユーザ端末７は図２（ｂ）で説明したような携帯端末に限らず、その他、汎用のパーソナルコンピュータ等でも実現できる。
【００３２】
次に、図３を参照して、コーディネート提案装置３の機能構成について説明する。
図に示すように、コーディネート提案装置３は、記憶部１２にユーザＤＢ（データベース）５５（５５ａ、５５ｂ、…）、およびコーディネート収集ＤＢ５７等を有するとともに、コーディネート抽出手段５２、コーディネート表示画面送信手段５３等を備える。
【００３３】
ユーザＤＢ５５は、会員登録したユーザ毎に、アイテムデータ３０、コーディネートデータ４０、ユーザ情報５０等を保持する。
コーディネート収集ＤＢ５７は、各ユーザが登録したコーディネートデータ４０をまとめて記録したものである。
【００３４】
図４を参照して、アイテムデータ３０について説明する。
アイテムデータ３０は、各ユーザが有するアイテム１０について、その特徴等を記録したものである。図に示すように、アイテムデータ３０では、アイテム１０毎に、ユーザＩＤ３１、アイテムＩＤ３２、アイテム画像３３に紐付けて、アイテム１０の特徴として、カテゴリ３４、販売商品識別コード３５、ブランド３６、色３７等が記録される。
【００３５】
ユーザＩＤ３１は、ユーザを一意に識別する情報である。
アイテムＩＤ３２は、ユーザの有するアイテム１０を一意に識別する情報である。
アイテム画像３３は、アイテム１０の画像データである。
カテゴリ３４は、アイテム１０の種類を示すものであり、例えば、トップス、ボトムス、シューズ、バッグ、アクセサリ等である。
販売商品識別コード３５は、アイテム１０を識別するコードであり、服飾メーカー等により付与されたものである。
ブランド３６は、アイテム１０のブランド名を表す。
色３７は、アイテム１０の色を表す。
【００３６】
なお、アイテムデータ３０はこれに限らず、その他、例えば商品名、価格、シルエット、サイズ、デザイナー、柄、素材、用途等について、アイテム１０の特徴を記録するようにしてもよい。
【００３７】
次に、図５を参照してコーディネートデータ４０について説明する。
コーディネートデータ４０は、ユーザの有するアイテム１０を組み合わせて行ったコーディネート２０について記録を行ったものである。図に示すように、コーディネートデータ４０は、コーディネート２０毎に、ユーザＩＤ３１、コーディネートＩＤ４２、コーディネート画像４３、およびコーディネート２０に使用したアイテム１０のアイテムＩＤ３２ａ〜３２ｃ等を記録したものである。
【００３８】
ユーザＩＤ３１は、ユーザを一意に識別する情報であり、アイテムデータ３０のユーザＩＤ３１と同様である。
コーディネートＩＤ４２は、ユーザのコーディネート２０を一意に識別する情報である。
コーディネート画像４３は、ユーザのコーディネート２０を示す画像データである。
アイテムＩＤ３２ａ〜３２ｃは、コーディネート２０に用いたユーザのアイテム１０を一意に識別する情報であり、それぞれアイテムデータ３０のアイテムＩＤ３２と同様である。
【００３９】
ただし、コーディネートデータ４０はこれに限ることはない。例えば、図５のコーディネートデータ４０は３つのアイテム１０を組み合わせたコーディネート２０の例であるが、組み合わせるアイテム１０の数は２つあるいは４つ以上であってもよい。また、コーディネートデータ４０としては、その他コーディネート２０に適したシーンなども記録してよい。
【００４０】
ユーザ情報５０は、後述する会員登録の際にユーザが入力する情報、またはユーザに割り当てられる情報である。ユーザ情報５０は、例えば、ユーザＩＤ３１、パスワード、氏名、ニックネーム、性別等であるが、これらに限ることはない。
【００４１】
コーディネート抽出手段５２は、ユーザに提案するコーディネートデータ４０を、別のユーザのコーディネートデータ４０の中から検索して抽出するものである。
【００４２】
コーディネート表示画面送信手段５３は、コーディネート抽出手段５２で抽出したコーディネートデータ４０のコーディネート２０を示すコーディネート表示画面を、ユーザ端末７に送信するものである。
【００４３】
（コーディネート提案システム１における処理）
次に、図６から図１６を参照しながら、コーディネート提案システム１における処理について説明する。
【００４４】
（１．会員登録処理）
まず、図６を参照しながら、ユーザの会員登録処理について説明する。図６は、コーディネート提案装置３における会員登録処理の流れを示すフローチャートである。
【００４５】
会員登録を行う際、ユーザは、ユーザ端末７からネットワーク９を介してコーディネート提案装置３にアクセスし、氏名、ニックネーム、性別等、会員登録に必要な情報を入力する。コーディネート提案装置３は、これらの情報の入力を受付けて（Ｓ１０１）、ユーザに対してユーザＩＤ３１、および必要に応じてパスワードを発行し、会員登録を行う（Ｓ１０２）。これによりユーザＤＢ５５が生成され、Ｓ１０１で入力した氏名等の情報と、Ｓ１０２で発行したユーザＩＤ３１等が、ユーザ情報５０として登録される。
【００４６】
（２．アイテム登録処理）
次に、図７を参照しながら、アイテム登録処理について説明する。図７は、コーディネート提案装置３におけるアイテム登録処理の流れを示すフローチャートである。ここでは、ショッピングサーバ５が提供するＥＣサイトでアイテム１０を購入するとともに、そのアイテム１０をコーディネート提案装置３に登録する例を説明する。
【００４７】
まず、ユーザは、ユーザ端末７からショッピングサーバ５にアクセスし、ＥＣサイトにおいてアイテム１０を購入する。アイテム１０の購入にあわせ、ユーザ端末７からユーザＩＤ３１等を入力するなどして当該アイテム１０の登録指示を行うと、ショッピングサーバ５は、ユーザが購入したアイテム１０の商品情報を、ユーザＩＤ３１とともにコーディネート提案装置３に送信する。コーディネート提案装置３の制御部１１は、この商品情報をユーザＩＤ３１とともに受信する（Ｓ２０１）。
【００４８】
商品情報は、例えば、アイテム１０の商品画像データ、カテゴリ、販売商品識別コード、ブランド、色、商品名、価格、形、サイズ、採寸情報、用途、口コミ、製造年月日、製造場所、デザイナー、柄、素材等であるが、これに限ることはない。
【００４９】
コーディネート提案装置３の制御部１１は、Ｓ２０１で受信した商品情報から商品画像データ、カテゴリ、販売商品識別コード、ブランド、色等、必要なデータを抽出し、ユーザＩＤ３１と紐付けてアイテムデータ３０として登録する（Ｓ２０２）。Ｓ２０２でのデータ抽出と登録は、コーディネート提案装置３の制御部１１が自動で行うほか、管理者等の操作に応じて行うことも可能である。
【００５０】
なお、アイテム１０の登録は、ユーザ自身で必要なデータの入力、送信を行うなどして、ユーザが有するアイテム１０について任意の時に行うことも可能である。さらに、ユーザが店舗で商品を購入した場合などでは、店舗に設置した端末からＳ２０１と同様に商品情報等の送信を行うことも可能である。
【００５１】
以上のようにして、複数のユーザから、各ユーザの有するアイテム１０がアイテムデータ３０として登録される。
【００５２】
（３．コーディネート登録処理）
次に、図８を参照しながら、コーディネート登録処理について説明する。図８は、コーディネート提案装置３におけるコーディネート登録処理の流れを示すフローチャートである。
【００５３】
まず、ユーザは、ユーザの有するアイテム１０を用いてコーディネート２０を行い、これを撮影したコーディネート画像４３を、ユーザＩＤ３１とともにユーザ端末７からコーディネート提案装置３に送信する。コーディネート提案装置３の制御部１１は、コーディネート画像４３をユーザＩＤ３１とともに受信する（Ｓ３０１）。図９（ａ）は、このコーディネート画像４３の例である。
【００５４】
次に、ユーザは、コーディネート２０に使用したアイテム１０を、登録したアイテム１０のなかから選択する。この際、コーディネート提案装置３は、図９（ｂ）に示すアイテム選択画面２００をユーザ端末７に送信して表示させ、アイテム１０の選択を促す。アイテム選択画面２００には、ユーザが登録したアイテム１０のアイテム画像３３が表示される。ユーザは、これらのアイテム画像３３からコーディネート２０に使用したアイテム１０のアイテム画像３３を選択する。
【００５５】
コーディネート提案装置３の制御部１１は、アイテム１０の選択を受付け、ユーザＩＤ３１とコーディネート画像４３に、選択されたアイテム１０のアイテムＩＤ３２（図５のアイテムＩＤ３２ａ〜３２ｃ）を紐付けて、コーディネートデータ４０を生成する（Ｓ３０２）。
【００５６】
コーディネート提案装置３の制御部は、その後、図９（ｃ）に示すアップロード画面３００をユーザ端末７に送信して表示させる。アップロード画面３００では、Ｓ３０１で送信したコーディネート画像４３と、Ｓ３０２で選択されたアイテム１０のアイテム画像３３、およびＯＫボタン３０１が表示されている。
【００５７】
ユーザがＯＫボタン３０１を選択すると、コーディネートデータ４０の登録指示が、ユーザ端末７からコーディネート提案装置３に送信される。コーディネート提案装置３の制御部１１は、この登録指示を受信して、生成したコーディネートデータ４０を、ユーザのユーザＤＢ５５およびコーディネート収集ＤＢ５７に登録（アップロード）する（Ｓ３０３）。
【００５８】
以上のような手順により、複数のユーザから、各ユーザの有するアイテム１０を組み合わせたコーディネート２０がコーディネートデータ４０として登録される。
【００５９】
（４．コーディネート提案処理）
次に、図１０を参照しながら、コーディネート提案処理について説明する。図１０は、コーディネート提案装置３におけるコーディネート提案処理の流れを示すフローチャートである。
【００６０】
まず、ユーザは、ユーザ端末７からユーザＩＤ３１等を入力してコーディネート提案装置３にアクセスし、コーディネート対象とするアイテム１０を、登録した自身のアイテム１０から選択する。コーディネート提案装置３の制御部１１は、ユーザによるアイテム１０の選択を受付ける（Ｓ４０１）。
【００６１】
Ｓ４０１において、コーディネート提案装置３は、図１１に示すコーディネートアイテム選択画面４００をユーザ端末７に送信し、表示させる。コーディネートアイテム選択画面４００では、ユーザが登録したアイテム１０のアイテム画像３３が表示される。ユーザは、これらのアイテム画像３３の中から、コーディネート対象とするアイテム１０のアイテム画像３３を選択することができる。
【００６２】
次に、コーディネート提案装置３の制御部１１は、コーディネート対象のアイテム１０と同一とみなすアイテム（以下、「同一のアイテム」という場合がある）を含むコーディネートデータ４０を、コーディネート収集ＤＢ５７の別のユーザのコーディネートデータ４０の中から抽出する（Ｓ４０２）。
【００６３】
Ｓ４０２において、コーディネート提案装置３は、まず、Ｓ４０１で選択されたコーディネート対象のアイテム１０のアイテムデータ３０を参照し、カテゴリ３４、販売商品識別コード３５、ブランド３６、色３７の特徴（第１の特徴）を取得する。
【００６４】
次に、コーディネート提案装置３は、これらの特徴が一致すると判定されるアイテム１０が含まれるコーディネートデータ４０を、前記で入力されたユーザのユーザＩＤ３１と異なる、別のユーザＩＤ３１を有するコーディネートデータ４０から抽出する。このように、本実施形態では、上記の特徴が一致する場合に同一のアイテム１０とみなしている。
【００６５】
特徴が一致するかの判定は、コーディネートデータ４０のアイテムＩＤ３２に対応するアイテムデータ３０を参照して行うことができ、その判定基準は様々に定めることができる。すなわち、ここでいう一致とは厳密な一致である必要はない。
【００６６】
図１２は、Ｓ４０２で抽出されたコーディネートデータ４０の例を示す図である。ここでは、コーディネート対象のアイテムａと同一のアイテムａを含むコーディネートデータ４０ａ〜４０ｃが抽出されたものとする。
なお、図に示すコーディネートデータ４０ａは、アイテムａとその他のアイテムＡ、Ｂを組み合わせたものであり、コーディネートデータ４０ｂは、アイテムａとアイテムＣ、Ｄを組み合わせたものであり、コーディネートデータ４０ｃは、アイテムａとアイテムＥ、Ｆを組み合わせたものである。
【００６７】
次に、コーディネート提案装置３の制御部１１は、Ｓ４０２で抽出されたコーディネートデータ４０のうち、上記のアイテムａ以外の残りのアイテム１０のいずれもが、ユーザの有するアイテム１０と少なくとも類似するとみなされるアイテム（以下、「少なくとも類似するアイテム」という場合がある）であるものを抽出する（Ｓ４０３）。なお、「少なくとも類似する」とは、同一のアイテムである場合も含まれる。
【００６８】
Ｓ４０３において、コーディネート提案装置３は、Ｓ４０２で抽出されたコーディネートデータ４０について、上記のアイテムａ以外の残りのアイテム１０のアイテムデータ３０を参照し、この残りのアイテム１０の各々について、カテゴリ３４、色３７の特徴（第２の特徴）を取得する。
【００６９】
次に、コーディネート提案装置３は、残りのアイテム１０の各々について、上記の特徴が一致すると判定されるアイテム１０が、ユーザが登録したアイテム１０のなかにあるかどうかを判別する。すなわち、本実施形態では、上記の特徴が一致する場合に、少なくとも類似するアイテム１０であるとしている。なお、特徴が一致するかの判定は前記と同様に行うことができる。
【００７０】
そして、残りのアイテム１０のいずれもが、ユーザが登録したアイテム１０のなかに少なくとも類似するアイテム１０がある場合に、そのコーディネートデータ４０を抽出する。
【００７１】
例えば、前記したコーディネートデータ４０ｂで、アイテムａ以外のアイテムはアイテムＣ、Ｄである。一方、図１３に示すように、ユーザのアイテム１０として、上記のアイテムＣと同一のアイテム、即ち、少なくとも類似するアイテムであるアイテムＣと、上記のアイテムＤと少なくとも類似するアイテムＤ’が登録されている場合、このコーディネートデータ４０ｂがＳ４０３で抽出される。
【００７２】
次に、コーディネート提案装置３の制御部１１は、Ｓ４０３で抽出したコーディネートデータ４０のコーディネート２０を示すコーディネート表示画面を作成し、ユーザ端末７に送信する（ステップＳ４０４）。ユーザ端末７の制御部２１は、受信したコーディネート表示画面を表示部２４に表示する。
【００７３】
図１４は、コーディネート表示画面５００の一例を示す図である。コーディネート表示画面５００には、コーディネート２０のコーディネート画像４３、および組み合わせたアイテム１０のアイテム画像３３が表示される。
【００７４】
なお、このコーディネート表示画面５００は他のユーザのコーディネート２０を表示するものであるが、アイテム画像３３の選択に応じて、そのアイテム１０と同一あるいは少なくとも類似するユーザのアイテム１０の情報、例えばアイテム画像３３等が表示されるようにしてもよい。
また、Ｓ４０３で複数のコーディネートデータ４０が抽出される場合などでは、ユーザの操作に応じて画面を移行するなどし、対応する複数のコーディネート２０が表示されるようにする。
【００７５】
以上説明したように、本実施形態によれば、複数のユーザから、各ユーザの有するアイテム１０を使用したコーディネートデータ４０を予め収集、記憶しておく。そして、ユーザがコーディネート対象のアイテム１０を選択すると、別のユーザのコーディネートデータ４０から、コーディネート対象と同一のアイテム１０を含み、かつその他のアイテム１０のいずれもが、ユーザの有するアイテム１０と少なくとも類似するコーディネートデータ４０が抽出される。
従って、ユーザは、コーディネート対象のアイテム１０について、他のユーザのコーディネート２０を参照してコーディネートを行えるようになる。このコーディネート２０は、他人が実際に行っているものであり、かつ、ユーザが有するアイテム１０等を利用して実現可能なものであるので、実用性も高い。
【００７６】
なお、抽出されるコーディネートデータ４０はこれに限らない。本実施形態の変形例として、例えば、コーディネートデータ４０は、コーディネート対象と同一のアイテム１０以外の、その他のアイテム１０のいずれかが、ユーザが有するアイテム１０と少なくとも類似するものであってもよい。ただし、本実施形態のようにしておくと、ユーザが有するアイテム１０を用いて実現できる実現性がより高いコーディネートデータ４０が抽出され、より実用的である。
【００７７】
また、本実施形態では、コーディネート対象のアイテム１０をユーザの有するアイテム１０から選択するので、ユーザが既に有するアイテム１０について、これを用いたコーディネートデータ４０を抽出して提案できるようになる。
しかしながら、コーディネート対象とするアイテム１０はこれに限らない。例えば、運用によっては、コーディネート提案装置３を前記のショッピングサーバ５の機能を兼ねたものとし、ＥＣサイト等で販売するアイテム１０をアイテムデータ３０として記憶部１２に記憶することも考えられる。このような場合では、商品であるアイテム１０をコーディネート対象として選択可能にしてもよい。
【００７８】
さらに、本実施形態では、Ｓ４０２において、カテゴリ３４、販売商品識別コード３５、ブランド３６、色３７の特徴が一致すると判定される場合に、コーディネート対象のアイテム１０と同一のアイテム１０であるとし、Ｓ４０３において、上記の特徴の一部、すなわちカテゴリ３４、色３７の特徴が一致すると判定される場合に、ユーザの有するアイテム１０と少なくとも類似するアイテム１０であるとし、これらをコーディネートデータ４０の抽出に用いている。
【００７９】
即ち、コーディネート対象のアイテム１０に関しては、より多くの特徴の一致を抽出時の条件とし、より厳しい判定基準としているので、これと同じアイテム１０を含むコーディネートデータ４０が確実に抽出でき、ユーザの意図しないコーディネートデータ４０が抽出されることがなくなる。また、コーディネート対象のアイテム１０と同一のアイテム１０を含むという条件により最初の絞り込みを行い、その後、アイテム１０が少なくとも類似するという条件によりコーディネートデータ４０を抽出すると、好適なコーディネートデータ４０を早く抽出できる。
【００８０】
しかしながら、抽出の方法はこれに限ることない。例えば、前記のＳ４０２においても、Ｓ４０３と同様、コーディネート対象のアイテム１０と少なくとも類似するアイテム１０を含むコーディネートデータ４０を抽出してもよい。
さらに、コーディネートデータ４０の抽出手順も上記に限らない。例えば、全てのアイテム１０がユーザの有するアイテム１０と少なくとも類似するコーディネートデータ４０をまず抽出し、その中から、コーディネート対象と同一のアイテム１０を含むものを抽出してもよい。
【００８１】
さらに、Ｓ４０２やＳ４０３で用いるアイテム１０の特徴も様々に考えられる。前記したものに限らず、その他の特徴を用いることも可能である。例えば、個々のアイテム１０を識別する識別力の高い特徴であれば、単一の特徴によりＳ４０２やＳ４０３における判定を行ってもよい。また、Ｓ４０２とＳ４０３において用いる特徴が異なっていてもよい。
【００８２】
また、前記のＳ４０３で抽出されたコーディネートデータ４０において、ユーザの有するアイテム１０と少なくとも類似するアイテム１０については、一致する特徴の数や識別力に応じてその類似度を求めるようにしてもよい。
例えば、一致する特徴の数が多いほど、または識別力が高い特徴が一致する場合に類似度が高いとし、前記のコーディネート表示画面５００では、コーディネート２０の表示順を、この類似度に基づいて定めることもできる。
【００８３】
また、本実施形態では、コーディネートデータ４０の抽出は、コーディネート収集ＤＢ５７から行っているが、予め各ユーザのユーザＤＢ５５に、別のユーザのコーディネートデータ４０をＤＢとして保持させておき、抽出の際はこのＤＢから行うようにしてもよい。これにより抽出処理を早めることもできる。また、運用によっては、ユーザＤＢ５５を各ユーザのユーザ端末７に保持させておくことも可能である。
【００８４】
以上、添付図面を参照しながら、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８５】
１：コーディネート提案システム
３：コーディネート提案装置
７：ユーザ端末
９：ネットワーク
１０：アイテム
２０：コーディネート
３０：アイテムデータ
４０、４０ａ〜４０ｃ：コーディネートデータ
５２：コーディネート抽出手段
５３：コーディネート表示画面送信手段
５００：コーディネート表示画面
【図１】
2013250743.tif 000003
【図２】
2013250743.tif 000004
【図３】
2013250743.tif 000005
【図４】
2013250743.tif 000006
【図５】
2013250743.tif 000007
【図６】
2013250743.tif 000008
【図７】
2013250743.tif 000009
【図８】
2013250743.tif 000010
【図９】
2013250743.tif 000011
【図１０】
2013250743.tif 000012
【図１１】
2013250743.tif 000013
【図１２】
2013250743.tif 000014
【図１３】
2013250743.tif 000015
【図１４】
2013250743.tif 000016